(57)【特許請求の範囲】
【請求項１】
バッグ部(1)と、
該バッグ部(1)の底面両側の四ヶ所に設けられてバッグ部(1)を自立して走行させるキャスター(6)と、
前記バッグ部(1)の片側に連結している取手(7)とを備え、
前記取手(7)は、上下に伸縮できる複数の伸縮支柱(5)を、前記バッグ部(1)の片側に、所定の間隔で平行な姿勢で連結して、伸縮支柱(5)の上端にグリップ(4)を固定しており、
前記キャスター(6)でバッグ部(1)を自立状態に支持するようにしてなるキャスターを有する鞄であって、
前記伸縮支柱(5)が中空パイプで、前記バッグ部(1)に固定してなる固定パイプ(5B)と、この固定パイプ(5B)に伸縮できるように挿入してなる伸縮パイプ(5A)とからなり、
前記伸縮パイプ(5A)が、前記バッグ部(1)の両側面(1X)に平行な縦部(5Ax)の肉厚よりも、この縦部(5Ax)に直交する横部(5Ay)の肉厚を厚くしてなるキャスターを有する鞄。
【請求項２】
前記固定パイプ(5B)が、前記バッグ部(1)の両側面(1X)に平行な縦部(5Bx)の肉厚よりも、この縦部(5Bx)に直交する横部(5By)の肉厚を厚くしてなる請求項１に記載されるキャスターを有する鞄。
【請求項３】
前記伸縮支柱(5)が、上端のグリップ(4)をバッグ部(1)の片側から中央部に偏在させるように湾曲又は傾斜して、前記グリップ(4)に作用する垂直荷重をバッグ部(1)の両側に設けてなるキャスター(6)の中間に作用させてなる請求項１または２に記載されるキャスターを有する鞄。
【請求項４】
前記伸縮支柱(5)が角筒状である請求項１ないし３のいずれかに記載されるキャスターを有する鞄。
【請求項５】
前記バッグ部(1)が、鞄本体(3)と、この鞄本体(3)を上に連結してなるベースフレーム(2)を備え、このベースフレーム(2)に前記キャスター(6)と前記固定パイプ(5B)とを固定してなる請求項１ないし４のいずれかに記載されるキャスターを有する鞄。
【請求項６】
前記取手(7)が、前記伸縮支柱(5)を伸長位置で停止させるストッパ(15)を備え、前記伸縮支柱(5)が伸長されてストッパ(15)で停止された状態で、前記キャスター(6)の下端から前記グリップ(4)までの高さが６０〜１００ｃｍである請求項１ないし５のいずれかに記載されるキャスターを有する鞄。
【発明の詳細な説明】
【技術分野】
【０００１】
本発明は、底面にキャスターを設けて、上端にグリップのある伸縮支柱を側面に設けているキャスターを有する鞄に関する。
【背景技術】
【０００２】
引出し自在な取手を備えるキャスター付き鞄は、すでに開発され多く使用されている。この構造の鞄は、航空機に持込みできる程度の大きさ、あるいは、これよりも多少大きいタイプのものが多い。この構造の鞄は、例えば、米国特許第４９９５４８７号明細書（特許文献１）、特公平４−７６６８６号公報（特許文献２）、実開平５７−１７９８２４号公報（特許文献３）及び実開昭６３−１３１６３４号公報（特許文献４）に記載されている。これ等の公報に記載される鞄は、図１に示すように底面の片側に２個のキャスター９６を設けている。キャスター９６の反対側には、短い脚９８を固定している。鞄を垂直に立てると、キャスター９６と脚９８とが床に接触する。この状態では、回転しない脚９８が接触するので、鞄は移動しない状態で垂直に自立する。さらに、鞄を引っ張って移動させるために、上面に引き出しできるように取手９７を設けている。取手９７は、鞄を傾斜させた状態で引っ張って移動させるので、キャスター９６と同じ側に設けられる。
【０００３】
この構造の鞄は、図１に示すように、鞄を傾け、取手９７を引っ張って移動できる。鞄が傾斜すると、キャスター９６が床に接触し、脚９８は床から離れる。この状態で取手９７を引っ張ると、キャスター９６が回転して楽に移動できる。しかしながら、このようにして移動させる鞄は、杖のように体重をかけながら鞄を移動できない欠点がある。それは、鞄を垂直姿勢に立てて移動できないからである。ユーザーが腰に負担をかけることなく重い鞄を移動させる必要があることがある。とくに、腰が痛い状態で重い鞄を移動させる必要があるとき、図１の鞄では、鞄を杖の代わりに使用しながら移動できない。
【０００４】
本発明者は、このような欠点を解消するために、図２に示す構造の鞄を開発した（特許文献５参照）。この図の鞄は、バッグ部底面の両側にキャスター８６を連結している。キャスター８６は、バッグ部８１を垂直姿勢で自立できるように、底面の四隅に設けている。取手８７は伸縮支柱８５をバッグ部８１の片側に固定して、その上端にグリップ８４を固定している。伸縮支柱８５を上方に伸長して上端のグリップ８４をバッグ部８１の上方に配置する状態で、グリップ８４をバッグ部８１の両側の中間に位置させるために、伸縮支柱８５を湾曲させている。この構造の鞄は、自立姿勢でグリップ８４に体重をかけて、すなわちグリップ８４に垂直荷重を作用させながら移動できる。グリップ８４に作用する垂直荷重が、両側のキャスター８６の間に作用して、鞄を自立姿勢に保持しながら移動できるからである。したがって、この鞄は、バッグ部８１やこれに収納している重い物品の荷重が全くグリップ８４に作用せず、しかもグリップ８４に体重をかけながら移動できるので、鞄が極めて重くても、押すだけで楽に移動できる。
【先行技術文献】
【特許文献】
【０００５】
【特許文献１】米国特許第４９９５４８７号明細書
【特許文献２】特公平４−７６６８６号公報
【特許文献３】実開平５７−１７９８２４号公報
【特許文献４】実開昭６３−１３１６３４号公報
【特許文献５】特開平１０−１３７０２２号公報
【発明の概要】
【発明が解決しようとする課題】
【０００６】
この構造の鞄は、腰の悪いユーザーや、重い荷物を持つことが難しい老人や婦人等、全てのユーザー、すなわち老若男女の全てのユーザーが、重い鞄を押して楽に移動できる特徴がある。この構造の鞄は、ほとんどの使用状態において、垂直姿勢に自立させてキャスターで移動できるが、全ての使用状態でキャスターで移動できず、たとえば、階段を上下するときや段差を越えるとき、あるいはキャスターでは移動できない凹凸路面などでは、鞄を持ち上げて移動する必要がある。このため、鞄を軽くすることが大切である。ところが、この鞄は、図１の鞄のようにユーザーが引っ張って移動するのでなく、ユーザーが体重をグリップにかけながら移動することがあるので、伸縮支柱の耐荷重を大きく、たとえば１００ｋｇ以上とする必要がある。このため、伸縮支柱が太く重くなって、鞄全体の重量が重くなる欠点がある。
【０００７】
さらに、図２に示す鞄は、２本の伸縮支柱８５を平行な姿勢でバッグ部８１の片側に固定して、これらの伸縮支柱８５の上端をグリップ８４で連結しているので、取手８７の上部を枠形状として補強することができ、これにより伸縮支柱８５の耐荷重を大きくできる。ただ、この構造の取手８７は、２本の伸縮支柱８５を連結するグリップ８４と平行な方向（図において矢印Ｘで示す方向）への耐荷重を大きくできるが、２本の伸縮支柱８５が固定されるバッグ部８１の側面８１Ｘと交差する方向（図において矢印Ｙで示す方向）への耐荷重を大きくすることはできない。取手８７は、伸縮支柱８５を軽くしながら、あらゆる方向への耐荷重を強くすることが望ましい。
【０００８】
本発明は、さらにこの欠点を解決することを目的に開発されたもので、本発明の重要な目的は、鞄を軽くしてユーザーが楽に持ち上げて移動できるようにしながら、ユーザーがグリップに強く体重をかけながら、重い荷物を収納して極めて楽に、とくにユーザーの腰に負担をかけることなく、老若男女の全てのユーザーが、重い荷物を種々の使用状態において極めて楽に移動できる鞄を提供することにある。
【課題を解決するための手段及び発明の効果】
【０００９】
キャスターを有する鞄は、バッグ部１と、バッグ部１の底面両側の四ヶ所に設けられてバッグ部１を自立して走行させるキャスター６と、バッグ部１の片側に連結している取手７とを備えている。取手７は、上下に伸縮できる複数の伸縮支柱５を、バッグ部１の片側に、所定の間隔で平行な姿勢で連結して、伸縮支柱５の上端にグリップ４を固定している。鞄は、キャスター６でバッグ部１を自立状態に支持するようにしている。伸縮支柱５は中空パイプで、バッグ部１に固定してなる固定パイプ５Ｂと、この固定パイプ５Ｂに伸縮できるように挿入してなる伸縮パイプ５Ａとからなる。伸縮パイプ５Ａは、バッグ部１の両側面１Ｘに平行な縦部５Ａｘの肉厚（ｄｘ）よりも、この縦部５Ａｘに直交する横部５Ａｙの肉厚（ｄｙ）を厚くしている。
【００１０】
以上の鞄は、ユーザーが取手のグリップに強く体重をかけながら、重い荷物をも極めて楽に押して移動できる。とくに、重い荷物を入れた鞄を押して移動させながら、鞄を使用しない状態よりもさらに、ユーザーの腰の負担を少なくして楽に移動できる。それは、腰より上の体重を取手のグリップにかけながら押して移動できるからである。さらに、グリップの耐荷重を大きくしながら鞄を軽くして、楽に持ち上げて移動することもできる。このため、老若男女の全てのユーザーが、重い荷物を種々の使用状態において極めて楽に移動できる特徴がある。それは、この鞄の取手が、複数の伸縮支柱を、バッグ部の片側に所定の間隔で平行な姿勢で連結して、伸縮支柱の上端にグリップを固定すると共に、上端にグリップを設けている取手の伸縮パイプが、バッグ部の両側面に平行な縦部の肉厚よりも、縦部に直交する横部の肉厚を厚くしているからである。
【００１１】
以上の構造の伸縮パイプは、上端のグリップに荷重が作用する状態で、曲げ応力が作用する。この曲げ応力は、グリップに平行な方向に作用する縦加重による曲げ応力と、伸縮パイプの横部の両面に平行な方向に作用する横加重による曲げ応力がある。以上の構造の取手は、複数の伸縮支柱を、所定の間隔で平行な姿勢でバッグ部に連結し、さらに、伸縮支柱の上端にグリップを固定しているので、グリップに平行な方向に作用する縦加重に対して極めて強い強度を有する。さらに、伸縮パイプは、横部の肉厚を縦部の肉厚よりも厚くしているので、伸縮パイプの横部の両面に平行な方向に作用する横加重による曲げ応力に対して極めて強い強度を有し、伸縮パイプの横部がグリップの横荷重で曲がるのを防止する。したがって、この構造の取手は、グリップに作用するあらゆる方向の加重に対する耐荷重を大きくして、伸縮パイプの曲げを有効に阻止する。さらに、以上の鞄は、伸縮パイプの横部の肉厚を縦部よりも厚くして、曲げ応力に対する強度を著しく向上させるので、縦部を薄くできる。このため、薄い縦部によって伸縮パイプの重量の増加を制限し、あるいは伸縮パイプをより軽くしながら、グリップの大きな垂直荷重に対して伸縮パイプを曲がりにくくできる。さらに、伸縮パイプを軽くして鞄全体を軽くしながら、グリップに大きな垂直荷重が作用しても曲がらない強靭な構造を実現する。したがって、ユーザーは軽い鞄によって楽に持ち上げて運搬でき、また、グリップに体重をかけて楽に重い荷物を収納して軽く押して移動できるという極めて優れた作用効果を実現する。
【００１２】
本発明のキャスターを有する鞄は、固定パイプ５Ｂが、バッグ部１の両側面１Ｘに平行な縦部５Ｂｘの肉厚（Ｄｘ）よりも、この縦部５Ｂｘに直交する横部５Ｂｙの肉厚（Ｄｙ）を厚くすることができる。
以上の鞄は、伸縮パイプのみでなく固定パイプも軽くしながら曲げ強度を向上できるので、鞄全体の重量をより軽くしながら、グリップに大きな垂直荷重を作用させて、すなわちグリップに体重をかけながら極めて楽に移動できる。
【００１３】
本発明のキャスターを有する鞄は、伸縮支柱５が、上端のグリップ４をバッグ部１の片側から中央部に偏在させるように湾曲又は傾斜して、グリップ４に作用する垂直荷重をバッグ部１の両側に設けてなるキャスター６の中間に作用させることができる。
【００１４】
本発明のキャスターを有する鞄は、伸縮支柱５を角筒状とすることができる。
【００１５】
本発明のキャスターを有する鞄は、バッグ部１が、鞄本体３と、この鞄本体３を上に連結してなるベースフレーム２を備えて、このベースフレーム２にキャスター６と固定パイプ５Ｂとを固定することができる。
【００１６】
本発明のキャスターを有する鞄は、取手７が、伸長された伸縮支柱５の上端のグリップ４を定位置に停止させるストッパ１５を備えて、伸縮支柱５が伸長されてストッパ１５で停止された状態で、キャスター６の下端からグリップ４までの高さを６０〜１００ｃｍとすることができる。
【図面の簡単な説明】
【００１７】
【図１】従来のキャスターを有する鞄を示す斜視図である。
【図２】本発明者が先に開発したキャスターを有する鞄の斜視図である。
【図３】本発明の一実施例にかかるキャスターを有する鞄の斜視図である。
【図４】本発明の他の実施例にかかるキャスターを有する鞄の斜視図である。
【図５】本発明の他の実施例にかかるキャスターを有する鞄の斜視図である。
【図６】本発明の他の実施例にかかるキャスターを有する鞄の斜視図である。
【図７】本発明の他の実施例にかかるキャスターを有する鞄の斜視図である。
【図８】図７に示すキャスターを有する鞄の分解斜視図である。
【図９】図７に示すキャスターを有する鞄の正面図である。
【図１０】本発明の他の実施例にかかるキャスターを有する鞄の正面図である。
【図１１】本発明の他の実施例にかかるキャスターを有する鞄の斜視図である。
【図１２】図１１に示すキャスターを有する鞄の分解斜視図である。
【図１３】本発明の他の実施例にかかるキャスターを有する鞄の斜視図である。
【図１４】図１３に示すキャスターを有する鞄の他の使用状態を示す斜視図である。
【図１５】本発明の一実施例にかかるキャスターを有する鞄の一部拡大概略平面図である。
【図１６】伸縮支柱のストッパの一例を示す拡大断面図である。
【図１７】図１６に示す伸縮支柱の第２ストッパを解除した状態を示す拡大断面図である。
【図１８】図１６に示す伸縮支柱の第１ストッパを解除した状態を示す拡大断面図である。
【発明を実施するための形態】
【００１８】
以下、本発明の実施の形態を図面に基づいて説明する。ただし、以下に示す実施の形態は、本発明の技術思想を具体化するための、キャスターを有する鞄を例示するものであって、本発明は、キャスターを有する鞄を以下のものに特定しない。さらに、本明細書は、特許請求の範囲を理解しやすいように、実施例に示される部材に対応する番号を、「特許請求の範囲」、及び「課題を解決するための手段の欄」に示される部材に付記している。ただ、特許請求の範囲に示される部材を、実施例の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００１９】
図３ないし図１４に示すキャスターを有する鞄は、バッグ部１と、このバッグ部１の底面両側の四ヶ所に設けられてバッグ部１を自立して走行させるキャスター６と、バッグ部１の片側に連結している取手７とを備えている。取手７は、上下に伸縮できる複数の伸縮支柱５を、バッグ部１の片側に、所定の間隔で平行な姿勢で連結して、伸縮支柱５の上端にグリップ４を固定している。取手７は、伸縮支柱５を伸長させる状態で、上端のグリップ４が、バッグ部１の片側の上方から中央部の上方にかけての領域に位置するように配置しており、グリップ４に作用する垂直荷重をバッグ部１の両側に設けているキャスター６に作用させて、キャスター６でバッグ部１を自立状態に支持するようにしている。
【００２０】
図３ないし図１４に示す鞄は、バッグ部１４の底面の四隅部にキャスター６を設けている。バッグ部１の底面の四隅部に設けたキャスター６は、自由な方向に走行可能な首振り式のキャスターである。これらの鞄は、四隅のキャスター６でバッグ部１を自立させる状態として、取手７を押して、あるいは取手７を引いて、自由な方向に移動できる。
【００２１】
図３ないし図６に示す鞄は、バッグ部１である鞄本体３の底面の四隅部にキャスター６を固定して、鞄本体３の片側に取手７を固定している。さらに、図７ないし図１４に示す鞄は、バッグ部１を、鞄本体３と、この鞄本体３を上に連結しているベースフレーム２とで構成して、このベースフレーム２にキャスター６と取手７とを固定している。図７ないし図１４の鞄は、鞄本体３を脱着できるようにベースフレーム２に装着している。この鞄は、鞄本体３を簡単に交換できる特長がある。ただ、鞄本体は、脱着できないようにベースフレームに固定することもできる。
【００２２】
鞄本体３は、充分な強度を有する硬質材、例えば、ＡＢＳ樹脂等の硬質プラスチック、繊維材をバインダーで硬化結合して成形したもの、耐水性の硬い紙の表面に塗料を塗布したもの、アルミニウム等の金属で製作することも、可撓性のシート等の軟質材で製作することも、あるいはまた、これらを組み合わせて製作することもできる。可撓性のシートで製作される鞄本体は、内側に補強枠材を配設して保形することができる。ただ、可撓性のシート等の軟質材で製作される鞄本体は、必ずしも補強剤で補強する必要はなく、鞄全体が可撓性を有する構造とすることもできる。この鞄本体は、たとえば、ベースフレームに連結して使用する。
【００２３】
図３ないし図５、及び図７ないし図１０に示す鞄本体３は、本体部３Ａと蓋体３Ｂとからなる。蓋体３Ｂは、開閉できるように本体部３Ａに連結されている。これらの図に示す鞄本体３は、一方の側面側に取手７が配置されるので、この取手７が配置されない側の本体部３の片面に開閉できるように蓋体３Ｂを設けている。鞄本体３は、本体部３Ａや蓋体３Ｂの表面に、ポケットを設けて便利に使用できる。さらに、図６に示す鞄本体３は、両側（図において左右）の中間で第１ケース３Ｃと第２ケース３Ｄとに分割しており、この第１ケース３Ｃと第２ケース３Ｄとを開閉できるように連結している。
【００２４】
さらに、図７ないし図１２に示す鞄本体３は、ベースフレーム２に脱着できる構造としている。これらの図の鞄本体３は、鞄本体３に設けた短冊状の連結片３Ｒを、ベースフレーム２に設けたスリット状の連結部２Ｒに挿通して連結し、脱着自在に脱着できる構造としている。この連結片３Ｒには、マジックテープ（登録商標）、ボタン、ホック、フック等の連結機構を設けて簡単に着脱できる。鞄本体とベースフレームの連結構造には、ベルトやバンド、リング、フック等も使用できる。
【００２５】
さらにまた、図１３と図１４に示す鞄本体３は、可撓性シートを縫製して全体を袋状に製作している。この鞄本体３は、図に示すように、一方の側面１Ｘに上下方向に開口した挿通帯３Ｓを有する。この鞄本体３は、挿通帯３Ｓの開口部の下方から取手７を挿入し、さらに取手７の上部を開口部の上方に引き出して伸縮支柱５を挿通帯３Ｓに挿通させる。これにより、鞄本体３は、ベースフレーム２の上面に載置された状態として、ベースフレーム２の定位置に連結できる。また、鞄本体３をベースフレーム２から離脱させる際には、鞄本体３を上昇させて、挿通帯３Ｓに挿通された取手７を解放することで実現される。このように、ベースフレーム２に固定した取手７を、鞄本体３の挿通部３Ｓに挿通させる連結構造とすることで、簡単かつ容易に鞄本体３とベースフレーム２とを脱着できる。
【００２６】
取手７は、バッグ部１の片側から上方に伸びて自立し、かつ上下方向に伸縮自在な一対の伸縮支柱５を備えている。取手７は、２本の伸縮支柱５を、所定の間隔で平行な姿勢でバッグ部１に連結して、２本の伸縮支柱５の上端にグリップ４を固定している。図の取手７は、２本の伸縮支柱５を備えているが、取手は、３本以上の伸縮支柱を、所定の間隔で平行な姿勢でバッグ部に連結することもできる。伸縮支柱５は中空パイプであって、バッグ部１に固定してなる固定パイプ５Ｂと、この固定パイプ５Ｂに伸縮できるように挿入している伸縮パイプ５Ａとで構成している。さらに、取手７は、詳細には後述するが、伸縮する伸縮支柱５を伸長位置に停止させるストッパを備えている。
【００２７】
取手７は、バッグ部１に連結している。図３ないし図６に示す鞄の取手７は、伸縮支柱５を収縮した状態で、鞄本体３に収納できるように、固定パイプ５Ｂを鞄本体３の内部に配設して、グリップ４を鞄本体３の上面に配置している。とくに、図に示す鞄本体３は、収納された取手７のグリップ４を掴みやすいように、鞄本体３の上面に挿入凹部１４を設けており、この挿入凹部１４にグリップ４を収納するようにしている。
【００２８】
さらに、図７ないし図１４に示す鞄の取手７は、ベースフレーム２の片側に自立姿勢で固定している。これらの図のベースフレーム２は、プラスチックまたはアルミニウムなどの軽金属で全体を一体的に成形して製作される。ベースフレーム２は、下面の四隅部にキャスター６を設けて、上面に鞄本体３を載せると共に、片側の上面に固定パイプ５Ｂを自立するように固定している。このように、ベースプレートの片側に伸縮支柱５を配置する構造は、ベースプレート２の上面のほぼ全面に鞄本体３を配置できるので、ベースプレートに載せる鞄本体３の底面を広くできる特長がある。これらの図の鞄は、ベースフレーム２の上面であって、伸縮支柱５に隣接して鞄本体３を配置している。
【００２９】
図７ないし図１４に示すベースフレーム２は、平面形状を長方形としており、この長方形の長辺となる側部に一対の伸縮支柱５を固定している。これらのベースフレーム２は、伸縮支柱５を挿通して連結する支持筒８を一体的に成形して設けている。図のベースフレーム２は、側部に２本の支持筒８を設けて、各々の支持筒８に伸縮支柱５を挿通して連結している。図に示すベースフレーム２は、一対の支持筒８に補強壁９を一体的に連結して成形しており、支持筒８に固定される伸縮支柱５を補強壁９で補強している。
【００３０】
図７ないし図１０に示すベースフレーム２は、長方形の長辺となる側部の中央に一対の指示筒１０を設けており、この支持筒８で伸縮支柱５を支持している。図のベースフレーム２は、支持筒８を上下面から突出して設けており、下面から突出する突出部８Ａに補強壁９を一体的に成形して設けている。補強壁９は、支持筒８とベースプレート２の下面に連結している。補強壁９は、ベースプレート２の四隅の下面にキャスター６を設けることによってできるキャスター６間のスペースを有効利用して設けている。さらに、ベースフレーム２は、キャスター６で持ち上げられて下面にできるスペースを有効利用して、支持筒８と補強壁９とを設けている。
【００３１】
図１１ないし図１４に示すベースフレーム２は、長方形の長辺となる側部の両端部である隅部に一対の支持筒８を設けており、この支持筒８で伸縮支柱５を支持している。図１１と図１２のベースフレーム２は、伸縮支柱５が固定される支持筒８を、補強壁９で補強している。補強壁９は、ベースプレート２の両端縁に沿って設けている。このベースフレーム２は、伸縮支柱５と補強壁９で囲まれる部分に鞄本体３を装着してバッグ部１としている。図１３と図１４のベースフレーム２は、上面から上方向に突出した支持筒８の立ち上げ部において、支持筒８とベースフレーム２とを連結する補強壁８を、一対の支持筒８の間に設けている。図の補強壁９は、支持筒８とベースプレート２とを一体的に連結して補強できる形状として、三角状としている。ただ、補強壁は、種々の形状とすることができる。さらに、図のベースフレーム２は、支持筒８の立ち上げ部において、補強壁９の厚み方向に突出した補強基部１０を設けて、支持筒８をより強固に補強している。
【００３２】
取手７は、鞄をキャスター６で移動させるときに上方に引き出される。鞄をキャスター６で移動させないとき、取手７は収縮して押し込まれる。取手７のグリップ４は、伸縮支柱５を介してバッグ部１に伸縮自在に連結される。図３ないし図１４に示す鞄の取手７は、バッグ部１の片側（図において右側）に配置しており、伸縮支柱５を伸長させる状態で、上端のグリップ４が、バッグ部１の片側の上方から中央部の上方にかけての領域に位置するように配置している。
【００３３】
図３に示す鞄は、取手７を伸長させて引き上げると、伸縮支柱５の上端のグリップ４が垂直上向きに移動されて、バッグ部１の片側の上方に位置するようにしている。図３の鞄は、バッグ部１の右側に伸縮支柱５を固定しているので、取手７が引き上げられると、グリップ４がバッグ部１の右側の上方に向かって移動する。この取手７は、グリップ４を真上に引き上げできるように、直線状の伸縮支柱５を垂直姿勢でバッグ部１の片側に固定している。引き上げられたグリップ４の位置は、伸縮支柱５を配置しているバッグ部１の片側の前後に配置されるキャスター６の中間であって、これらのキャスター６を結ぶライン上となるようにしている。ただ、引き上げられるグリップの位置は、伸縮支柱を固定しているバッグ部の片側に配置されるキャスターを結ぶラインよりも内側とすることも、外側とすることもできる。また、取手は、必ずしもグリップを垂直上向きに移動させる構造には限定せず、バッグ部の側面から多少は内側に傾斜又は湾曲し、あるいは外側に傾斜または湾曲するする状態でグリップを移動させることもできる。
【００３４】
図４ないし図１４に示す鞄は、取手７を伸長させて引き上げると、伸縮支柱５の上端のグリップ４が片側から中央に向かって移動するようにしている。図に示すように、伸縮支柱５をバッグ部１の片側に固定する場合、バッグ部１の中央とは、バッグ部１の両側面１Ｘの間であって、左右方向の中心を意味するものとする。
【００３５】
図４、図６ないし図９、及び図１１ないし図１４に示す取手７は、グリップ４が引き上げられて伸縮支柱５が伸長されると、バッグ部１の片側から中央に向かってグリップ４を移動させるように伸縮支柱５を湾曲させている。これらの図の鞄は、バッグ部１の右側に伸縮支柱５を固定しているので、取手７が引き上げられると、グリップ４をバッグ部１の右側から左側に向かって移動させるように、伸縮支柱５を湾曲させている。いいかえると、伸縮支柱５は、中央部が外側に突出する方向に湾曲されて、引き上げられたグリップ４を、バッグ部１の側部から中央に接近する方向に移動させるようにしている。
【００３６】
さらに、図５と図１０の取手７は、グリップ４が引き上げられて伸縮支柱５が伸長されると、バッグ部１の片側から中央に向かってグリップ４を移動させるように伸縮支柱５を傾斜させている。図４と図９の鞄は、バッグ部１の右側に伸縮支柱５を固定しているので、引き上げられるグリップ４がバッグ部１の右側から左側に向かって移動するように、伸縮支柱５を傾斜させている。
【００３７】
以上のように、伸縮支柱５が上端のグリップ４をバッグ部１の中央に位置させるように湾曲し、あるいは、グリップ４をバッグ部１の中央に位置させる方向に傾斜する取手７は、グリップ４を引き上げた状態で、グリップ４がバッグ部１３の中央に位置するので、グリップ４を握って鞄をスムーズに移動できる特徴がある。ただ、取手は、グリップを引き上げた状態で、必ずしもグリップがバッグ部の中央に位置する必要はない。それは、グリップが完全に中央になくても、グリップを押して鞄を曲がらないように前方に移動できるからである。引き上げられたグリップ４の位置は、図１５に示すように、伸縮支柱５を片側に配置しているバッグ部１の底面の両側に配置されるキャスター６の中間であって、一方の側部に設けたキャスター６を結ぶライン（図１５において一点鎖線Ａで表示）を基準の０点とし、反対側の側部に設けたキャスター６を結ぶライン（図１５において一点鎖線Ｂで表示）を１００とすれば、たとえば、１５〜８０の位置、好ましくは２０〜６０、さらに好ましくは２５〜５０の位置である。
【００３８】
さらに、図示しないが、鞄は、湾曲する伸縮支柱を傾斜してバッグ部の片側に固定して、グリップを引き上げて、バッグ部の片側から中央に向かって移動させることもできる。この鞄は、湾曲する曲率半径を大きくすると共に、傾斜角を直角に近くして、グリップを引き上げてバッグ部の中央に接近できる。それは、傾斜させることと湾曲させることの両方で、引き上げたグリップ４をバッグ部１の側部から中央に移動できるからである。
【００３９】
取手７は、伸縮支柱５の収縮状態、いいかえるとグリップ４を最も押し下げた状態では、グリップ４がバッグ部１の片側の上部ないし上方に位置してストッパで停止される。取手７は、伸縮支柱５が収縮されてグリップ４を最も低くする位置で、キャスター６の下端からグリップ４の上端までの距離を約５０ｃｍとする。ただし、取手７は、伸縮支柱５が収縮されてグリップ４を最も低くする位置で、キャスター６の下端からグリップ４の上端までの距離を、好ましくは３０〜８０ｃｍ、さらに好ましくは３５〜７０ｃｍとすることもできる。伸縮支柱５を収縮してグリップ４を最も低くする状態で、グリップ４を掴みやすいように、バッグ部１をグリップ４よりも低くする。さらに、取手７は、伸縮支柱５の伸長状態、いいかえるとグリップ４を最も高く引き上げた状態では、キャスター６の下端からグリップ４の中心までの高さが６０〜１００ｃｍ、好ましくは６５〜８５ｃｍとなる位置でストッパで停止される。
【００４０】
伸縮支柱５は、バッグ部１の片側に、上下方向に配設して固定している固定パイプ５Ｂと、この固定パイプ５Ｂに出し入れできるように挿入している伸縮パイプ５Ａとを備えており、伸縮パイプ５Ａの上端にグリップ４を固定している。図３ないし図６に示す鞄は、バッグ部１の片側であって鞄本体３の片側に、図７ないし図１４に示す鞄は、バッグ部１の片側であってベースフレーム２の側部に、それぞれ一対の固定パイプ５Ｂを固定している。固定パイプ５Ｂと伸縮パイプ５Ａは、太さの異なる角筒状の金属筒とすることができる。ただし、固定パイプ５Ｂと伸縮パイプは、プラスチックを角筒状に成形して製作することもできる。
【００４１】
角筒状の伸縮パイプ５Ａは、図１５の一部拡大断面図に示すように、バッグ部１の両側面１Ｘに平行な縦部５Ａｘの肉厚（ｄｘ）よりも、この縦部５Ａｘに直交する横部５Ａｙの肉厚（ｄｙ）を厚くしている。ここで、バッグ部１の両側面１Ｘとは、バッグ部１の片側であって、取手７が配置される側の側面１Ｘ（図１５において右側面）と、その反対側の側面１Ｘ（図１５において左側面）とを意味している。すなわち、図に示すように、平面形状を長方形とするバッグ部１においては、長方形の長辺に対応する面を側面１Ｘとしている。このように、横部５Ａｙの肉厚（ｄｙ）を縦部５Ａｘの肉厚（ｄｘ）よりも厚くする伸縮パイプ５Ａは、対向する横部５Ａｙに平行な方向（図において矢印Ｙで表示）にはたらく横加重による曲げ応力に対して極めて強い強度を有し、伸縮パイプ５Ａがグリップ４にはたらく横荷重で曲がるのを有効に防止する。また、伸縮パイプ５Ａは、横部５Ａｙの肉厚（ｄｙ）よりも縦部５Ａｘの肉厚（ｄｘ）を薄くすることで全体の重量を軽くして軽量化できる。ここで、伸縮パイプ５Ａの横部５Ａｙの肉厚（ｄｙ）は、縦部５Ａｘの肉厚（ｄｘ）の１．５倍〜５倍、好ましくは１．５倍〜３倍とすることができる。
なお、図１５の一部拡大断面図においては、伸縮パイプ５Ａと固定パイプ５Ｂの形状をわかりやすくするために、内蔵されるストッパ等を省略して表示している。
【００４２】
さらに、図１５の一部拡大断面図に示す伸縮支柱５は、伸縮パイプ５Ａが挿入される角筒状の固定パイプ５Ｂについても、縦部５Ｂｘと横部５Ｂｙの肉厚を変化させている。図の固定パイプ５Ｂは、バッグ部１の両側面１Ｘに平行な縦部５Ｂｘの肉厚（Ｄｘ）よりも、この縦部５Ｂｘに直交する横部５Ｂｙの肉厚（Ｄｙ）を厚くしている。このように、固定パイプ５Ｂについても横部５Ｂｙの肉厚（Ｄｙ）を縦部５Ｂｘの肉厚（Ｄｘ）よりも厚くする伸縮支柱５は、さらに全体を軽くしながら横加重に対する曲げ強度を向上できるので、鞄全体の重量をより軽くしながら、グリップ４に大きな横荷重を作用させても、伸縮支柱５が曲がるのを有効に防止する。ここで、固定パイプ５Ｂの横部５Ｂｙの肉厚（Ｄｙ）も、縦部５Ｂｘの肉厚（Ｄｘ）の１．５倍〜５倍、好ましくは１．５倍〜３倍とすることができる。
【００４３】
ここで、図３ないし図１４に示す取手７は、２本の伸縮支柱５を、所定の間隔で平行な姿勢でバッグ部１に連結し、さらに、２本の伸縮支柱５の上端をグリップ４で連結している。この構造の取手７は、グリップ４に平行な方向（図において矢印Ｘで表示）にはたらく縦荷重に対する耐荷重を大きくできる。それは、２本の伸縮支柱５の上端をグリップ４で連結しているので、取手７がグリップ４に平行な方向の縦加重を受けても、伸縮支柱５とグリップ４との連結部が所定の角度に保持されて、グリップ４に平行な方向への変形が阻止されるからである。
【００４４】
したがって、以上の構造の取手７は、２本の伸縮支柱５を、所定の間隔で平行な姿勢でバッグ部１に連結し、さらに、２本の伸縮支柱５の上端をグリップ４で連結する構造とすることで、グリップ４に平行な方向（図において矢印Ｘで表示）に作用する縦加重への耐荷重を大きくできると共に、各々の伸縮支柱５については、伸縮パイプ５Ａや固定パイプ５Ｂの横部５Ａｙ、５Ｂｙの肉厚（ｄｙ）、（Ｄｙ）を縦部５Ａｘ、５Ｂｘの肉厚（ｄｘ）、（Ｄｘ）よりも厚くすることで、横部５Ａｙ、５Ｂｙに平行な方向、すなわちバッグ部１の側面１Ｘと交差する方向（図において矢印Ｙで表示）に作用する横加重への耐荷重を大きくでき、あらゆる方向への耐荷重を大きくできる。しかも、伸縮支柱５は、伸縮パイプ５Ａや固定パイプ５Ｂの横部５Ａｙ、５Ｂｙの肉厚（ｄｙ）、（Ｄｙ）よりも縦部５Ａｘ、５Ｂｘの肉厚（ｄｘ）、（Ｄｘ）を薄くすることで全体の重量を軽くして軽量化できる。
【００４５】
図１５に示す伸縮支柱５は、伸縮パイプ５Ａのみでなく固定パイプ５Ｂについても縦部５Ｂｘと横部５Ｂｙの肉厚を変化させているが、伸縮支柱は、固定パイプの縦部と横部の肉厚を変化させることなく、伸縮パイプのみ、縦部の肉厚よりも横部の肉厚を厚くすることもできる。
【００４６】
図３ないし図１０、図１３、及び図１４に示す伸縮支柱５は、固定パイプ５Ｂに出し入れできるように挿入している２段の伸縮パイプ５Ａを備える。２段の伸縮パイプ５Ａは、上段の伸縮パイプ５Ａａを下段の伸縮パイプ５Ａｂよりも細くして、上段の伸縮パイプ５Ａａを下段の伸縮パイプ５Ａｂに出し入れできるように挿通している。さらに、伸縮支柱５は、下段の伸縮パイプ５Ａｂを固定パイプ５Ｂよりも細くして、下段の伸縮パイプ５Ａｂを固定パイプ５Ｂに出し入れできるように挿通している。これらの図の伸縮支柱５は、２段に伸縮できる構造としている。さらに、図１１と図１２に示す伸縮支柱５は、固定パイプ５Ｂに出し入れできる１段の伸縮パイプ５Ａを備えて、１段の伸縮構造としている。だ、伸縮支柱は、図示しないが、固定パイプに出し入れする伸縮パイプを３段以上として、４段以上に伸縮できる構造とすることもできる。
【００４７】
以上の図に示す鞄は、バッグ部１の片側に２本の伸縮支柱５を配置して、２本の伸縮支柱５の上端にグリップ４を連結している。図７ないし図１４に示すように、ベースプレート２に連結される取手７は、２本の固定パイプ５Ｂの上端を連結ロッド１１で連結している。これらの図の取手７は、固定パイプ５Ｂの下端をベースプレート２に固定して、上端部分を連結ロッド１１で連結している。このように、固定パイプ５Ｂの上端を連結ロッド１１で連結する構造は、２本の伸縮支柱５を補強して、より安定して自立できる。さらに、図７の鎖線で示すように、最も降下したグリップ４と連結ロッド１１との間には、手を入れる挿入隙間１２を設けている。降下したグリップ４を掴みやすくするためである。図のグリップ４は、プラスチックで全体をコ字状に成形して、両端の折曲部分を伸縮パイプ５Ａに連結して、挿入隙間１２を設けている。このように、全体をコ字状に成形するグリップは、２本の伸縮ロッド５Ａに連結する状態で、伸縮ロッド５Ａとグリップ４との連結部を補強して、グリップ４に平行な方向に作用する縦加重に対する耐荷重をさらに大きくできる。
【００４８】
以上の取手７は、伸縮支柱５の伸長状態と収縮状態において、ストッパで停止されて、グリップ４を所望の位置で停止させる。このストッパは、伸縮支柱５の伸縮を停止できる全ての機構を利用できる。ストッパは、好ましくは、取手を途中の引き出し位置で停止できる構造とする。この構造のストッパを備える取手は、グリップの位置を好適に選択しながら伸縮支柱の伸縮を停止できるからである。
【００４９】
ストッパの一例を、図１６ないし図１８に示す。これらの図に示す伸縮支柱５は、２段の伸縮パイプ５Ａを伸縮できる構造としているので、上下に２つのストッパ１５を備えている。第１ストッパ１５Ａは、上段の伸縮パイプ５Ａａと下段の伸縮パイプ５Ａｂの伸縮を停止する。第２ストッパ１５Ｂは、下段の伸縮パイプ５Ａｂと固定パイプ５Ｂの伸長を停止する。さらに、下段の伸縮パイプ５Ａｂと固定パイプ５Ｂの収縮は、第１ストッパ１５Ａで停止する。
【００５０】
第１ストッパ１５Ａは、上段の伸縮パイプ５Ａａの下端部に配設されて、下段の伸縮パイプ５Ａｂに向かって弾性的に突出する突出ピン１６と、下段の伸縮パイプ５Ａｂに設けられて、突出ピン１６が挿入される係止部１７と、突出ピン１６を係止部１７から強制的に引き抜く第１解除機構１８とを備える。第２ストッパ１５Ｂは、下段の伸縮パイプ５Ａｂの下端部に配設されて、固定パイプ５Ｂに向かって弾性的に突出する突出ピン３６と、固定パイプ５Ｂに設けられて、突出ピン３６が挿入される係止部３７と、突出ピン３６を係止部３７から強制的に引き抜く第２解除機構３８とを備える。
【００５１】
突出ピン１６は、上段の伸縮パイプ５Ａａの下端部の内部に、伸縮パイプ５Ａの外周方向に弾性的に突出するように、弾性部材１９を介して配設されている。突出ピン３６は、下段の伸縮パイプ５Ａｂの下端部の内部に、伸縮パイプ５Ａの外周方向に弾性的に突出するように、弾性部材３９を介して配設されている。これらの突出ピン１６、３６は、弾性部材１９、３９に押圧されて伸縮パイプ５Ａから弾性的に突出する。突出ピン１６、３６は、互いに反対方向に突出するように伸縮パイプ５Ａに配置している。図の伸縮支柱５は、突出ピン１６を内側に、すなわち対向する伸縮支柱５の方向へ突出させて、突出ピン３６を外側に、すなわち対向する伸縮支柱５と反対の方向へ突出させている。
【００５２】
係止部１７、３７は、突出ピン１６、３６が挿入される貫通孔または凹部である。図に示す下段の伸縮パイプ５Ａｂと固定パイプ５Ｂは、突出ピン１６、３６を挿入させる貫通孔を開口して係止部１７、３７としている。このように、係止部１７、３７を貫通孔とする構造は、ここに挿入される突出ピン１６、３６を貫通孔に貫通して突出させて、伸縮支柱５を確実に停止できる特長がある。このことは、とくに、伸縮支柱５を杖代わりに使用して、いいかえるとグリップ４に体重をかける姿勢として体を支えるときに極めて安全に使用できる。それは、突出ピン１６、３６が不意に係止部１７、３７から外れて、伸縮支柱５が押し込まれるのを有効に防止できるからである。また、グリップ４を持って鞄全体を持ち上げるときにも、伸縮支柱５が不意に引き出されるのを防止できる特長もある。このように、伸縮パイプ５Ａの位置を確実に固定できるストッパ１５は、グリップ４を上昇位置とする場合においても、また降下位置とする場合においても、極めて安全に使用できる特長がある。ただ、係止部は、突出ピンの先端部を挿入させる凹部とすることもできる。
【００５３】
係止部１７、３７を貫通孔とする図のストッパ１５は、突出ピン１６を挿入する係止部１７を伸縮パイプ５Ａの横部５Ａｙに開口して設けており、突出ピン３６を挿入する係止部３７を固定パイプ５Ｂの横部５Ｂｙに開口して設けている。すなわち、図に示すストッパ１５は、突出ピン１６を、伸縮パイプ５Ａの横部５Ａｙを貫通する方向に突出させて係止部１７に挿入し、突出ピン３６を、固定パイプ５Ｂの横部５Ｂｙを貫通する方向に突出させて係止部３７に挿入する構造としている。ここで、図に示す伸縮支柱５は、図１５の一部拡大断面図に示すように、伸縮パイプ５Ａの横部５Ａｙの肉厚（ｄｙ）を縦部５Ａｘの肉厚（ｄｘ）よりも厚くし、固定パイプ５Ｂの横部５Ｂｙの肉厚（Ｄｙ）を縦部５Ｂｘの肉厚（Ｄｘ）よりも厚くしている。このため、伸縮パイプ５Ａと固定パイプ５Ｂに開口される貫通孔である係止部１７、３７も肉厚が厚く形成される。このように、貫通孔である係止部１７、３７の肉厚を厚くする構造は、ここに挿入される突出ピン１６、３６の外周面と貫通孔である係止部１７、３７の開口端とが接触する面積が大きくなる。このため、伸縮支柱５を伸長させて、係止部１７、３７に突出ピン１６、３６が挿入された係止状態において、グリップ４に体重をかける姿勢で、大きな荷重が作用する状態においても、突出ピン１６、３６の外周面を係止部１７、３７の開口端が押圧する圧力を小さくできる。したがって、グリップ４に大きな荷重がかかる状態においても、この荷重によって、突出ピン１６、３６の外周面が係止部１７、３７の開口端に押圧されて変形したり、損傷する等の弊害を有効に防止できる。
【００５４】
これに対して、従来のように、伸縮支柱の横部が厚く成形されず、貫通孔である係止部の肉厚が薄いと、ここに挿入される突出ピンの外周面を係止部の開口端が押圧する圧力が大きくなる。このため、グリップに大きな荷重が働く状態では、突出ピンの外周面が係止部の開口端に強く押圧されて変形したり、損傷することがあった。このように、突出ピンの外周面が変形したり損傷すると、ストッパを操作して突出ピンを係止部に出し入れする状態で、この変形部分や損傷部分が係止部の開口端に引っかかる状態となって、スムーズな出し入れができなくなる等の問題点があった。したがって、以上のように、伸縮支柱５の横部５Ａｙ、５Ｂｙを厚く成形する構造は、この横部５Ａｙ、５Ｂｙを貫通して設けられる係止部１７、３７の肉厚を厚くして、ここに挿入される突出ピン１６、３６の外周面が係止部１７、３７の開口端に押圧されて変形や損傷等が生じるのを有効に防止でき、長期間にわたって、突出ピン１６、３６をスムーズに係止部１７、３７に出し入れしてストッパ１５の操作を快適にできる特徴も実現する。
【００５５】
下段の伸縮パイプ５Ａｂに設けられる係止部１７は、図示しないが、上段の伸縮パイプ５Ａａを最も引き上げた状態と、中間まで引き上げた状態と、最も降下させた状態とで突出ピン１６を挿入する複数の位置に設けている。上段の伸縮パイプ５Ａａが最も引き上げられた状態では、最も上の係止部１７に突出ピン１６が挿入され、上段の伸縮パイプ５Ａａが最も降下された状態では、最も下の係止部１７に突出ピン１６が挿入され、さらに、上段の伸縮パイプ５Ａａが中間まで引き上げられた状態では、突出ピン１６が中間の係止部１７に挿入されて上段の伸縮パイプ５Ａａの伸縮が停止される。このように、下段の伸縮パイプ５Ａｂの中間に係止部１７を設けた伸縮支柱５は、複数の段階に分けて上段の伸縮パイプ５Ａａを伸縮できる特長がある。とくに、下段の伸縮パイプ５Ａｂの中間に複数の係止部１７を設ける伸縮支柱５は、中間まで引き上げた上段の伸縮パイプ５Ａａを複数の引き上げ位置で停止できるので、グリップ４の位置を少しずつ上下させて最適な位置を選択できる特長がある。ただ、上段の伸縮パイプは、必ずしも中間位置で停止できる構造とする必要はなく、上昇位置と降下位置にのみ停止させることもできる。
【００５６】
固定パイプ５Ｂに設けられた係止部３７は、下段の伸縮パイプ５Ａｂを最も引き上げた状態で突出ピン３６を挿入する位置に設けている。下段の伸縮パイプ５Ａｂが最も引き上げられた状態で、係止部３７に突出ピン３６が挿入されて下段の伸縮パイプ５Ａｂの伸長が停止される。さらに、固定パイプは、下段の伸縮パイプを中間まで引き上げた状態で突出ピンを挿入する位置に複数の係止部を設けることもできる。この伸縮支柱５も、中間まで引き上げた下段の伸縮パイプを複数の引き上げ位置で停止できるので、グリップの位置を少しずつ上下させて最適な位置を選択できる特長がある。
【００５７】
さらに、固定パイプ５Ｂは、図１７に示すように、上段の伸縮パイプ５Ａａと下段の伸縮パイプ５Ａｂを最も降下した状態で、突出ピン１６を挿入する係止部３０を設けている。係止部３０は、降下位置にある下段の伸縮パイプ５Ａｂの最も下の係止部１７を貫通する突出ピン１６を挿入する位置に設けている。すなわち、この伸縮支柱５は、上段の伸縮パイプ５Ａａと下段の伸縮パイプ５Ａｂを最も降下させた状態で、下段の伸縮パイプ５Ａｂの係止部１７と固定パイプ５Ｂの内側の係止部３０とに突出ピン１６を挿入して伸縮支柱５を最も収縮した状態で停止させる。このように、固定パイプ５Ｂの外側に設けた係止部３７に突出ピン３６が挿入されて、下段の伸縮パイプ５Ａｂの伸長が停止され、固定パイプ５Ｂの内側に設けた係止部３０に突出ピン１６が挿入されて、下段の伸縮パイプ５Ａｂの収縮が停止される。
【００５８】
第１解除機構１８は、図１８に示すように、グリップ４に設けている押しボタン２０と、この押しボタン２０に連結されて、押しボタン２０で上下に移動される駆動ロッド２１と、駆動ロッド２１の下端に押圧されて、突出ピン１６を強制的に引き込む方向に回動する回動片２２とを備える。
【００５９】
押しボタン２０は、グリップ４の上面の中央部分に、上下に移動できるように配設している。押しボタン２０は、弾性体２３を介してグリップ４の下面に連結しており、この弾性体２３を介して弾性的に押し出されている。この押しボタン２０は、下面に駆動ロッド２１を連結しており、押しボタン２０が指で上下に移動されると、駆動ロッド２１を上下に駆動するようにしている。
【００６０】
駆動ロッド２１は、グリップ４と上段の伸縮パイプ５Ａａの内部に配設されており、押しボタン２０で上下に駆動されて回動片２２を回動させる。図１８に示す駆動ロッド２１は、グリップ４の下面に連結された水平ロッド２１Ａと、上段の伸縮パイプ５Ａａに挿通された垂直ロッド２１Ｂとを備える。水平ロッド２１Ａの両端は、垂直ロッド２１Ｂの上端の上方に位置しており、水平ロッド２１Ａが下方に押圧されると垂直ロッド２１Ｂを下方に押し下げるようにしている。垂直ロッド２１Ｂは、上端を、上段の伸縮パイプ５Ａａ内を上下に移動する挿入キャップ２４に挿通しており、垂直ロッド２１Ｂを上段の伸縮パイプ５Ａａ内で正確に上下に移動できるようにしている。ただ、水平ロッドの両端は、垂直ロッドの上端に連結することもできる。たとえば、駆動ロッドは、コ字状に折曲してなる１本のロッドとすることもできる。駆動ロッド２１の下端は、上段の伸縮パイプ５Ａａの下端まで延長されている。
【００６１】
回動片２２は、上段の伸縮パイプ５Ａａの下端部に配設されており、駆動ロッド２１の下端に押圧されて突出ピン１６を強制的に引き込む方向に回動する。図に示す上段の伸縮パイプ５Ａａは、下端にガイドキャップ２５を連結しており、このガイドキャップ２５の内部に、垂直面内で回動できるように回動片２２を装着している。このガイドキャップ２５は、駆動ロッド２１の下端部を正確に上下動できるように、上段の伸縮パイプ５Ａａに挿入される連結筒部２６に、駆動ロッド２１を挿通する挿通孔２６Ａを開口している。回動片２２は、全体の形状をＬ字状に折曲しており、一端を回転軸２７を介してガイドキャップ２５に連結すると共に、他端の両側には、突出ピン１６に向かって突出するピン２２Ａを設けている。この回動片２２は、駆動ロッド２１で押圧されて回動するとき、ピン２２Ａの先端を突出ピン１６の両側に設けた突出部１６Ａに当接させて、回動するピン２２Ａで突出ピン１６を押圧して強制的に後退させる。駆動ロッド２１の押圧が解除されると、突出ピン１６は回動片２２のピン２２Ａに押圧されなくなり、弾性部材１９で弾性的に押し出されて回動片２２を元の姿勢に回動させる。
【００６２】
以上の第１解除機構１８は、押しボタン２０が押されると駆動ロッド２１が押し下げられて、駆動ロッド２１の下端に配設された回動片２２が回動される。回動する回動片２２は、ピン２２Ａの先端で突出ピン１６を引き抜く方向に移動させて、突出ピン１６を係止部１７から引き抜く。この状態で、第１ストッパ１５Ａは解除されて、上段の伸縮パイプ５Ａａが下段の伸縮パイプ５Ａｂの内部を上下に移動できる状態となる。押しボタン２０を離すと、突出ピン１６が弾性部材１９に押圧されて下段の伸縮パイプ５Ａｂに向かって突出できる状態となる。
【００６３】
第１ストッパ１５Ａは、グリップ４に設けている第１解除機構１８の押しボタン２０を押して、突出ピン１６を強制的に引き込んで係止状態を解除する。この状態で、上段の伸縮パイプ５Ａａを引き上げ、あるいは降下させる。突出ピン１６が引き込まれた上段の伸縮パイプ５Ａａは、下段の伸縮パイプ５Ａｂの内部を上下に移動する。押しボタン２０を離した後、グリップ４を所定の高さに調整すると、突出ピン１６が係止部１７に案内され、上段の伸縮パイプ５Ａａの伸縮が停止されて、グリップ４の上昇と降下が停止される。
【００６４】
第２解除機構３８は、上段の伸縮パイプ５Ａの下端に設けられた挿入ロッド３１と、この挿入ロッド３１の下端に押圧されて、突出ピン３６を強制的に引き込む方向に回動する回動片３２とを備える。
【００６５】
挿入ロッド３１は、上段の伸縮パイプ５Ａの下端に固定されたガイドキャップ２５の下面に、下方に突出して設けられている。この挿入ロッド３１は、下段の伸縮パイプ５Ａｂの下端部に固定されたガイドキャップ３５の挿通孔３５Ａに挿入されて、下端で回動片３２の上面を押圧して回動片３２を回動させる。
【００６６】
回動片３２は、下段の伸縮パイプ５Ａｂの下端部に配設されており、挿入ロッド３１の下端に押圧されて突出ピン３６を強制的に引き込む方向に回動する。図に示す下段の伸縮パイプ５Ａｂは、下端にガイドキャップ３５を連結しており、このガイドキャップ３５の内部に、垂直面内で回動できるように回動片３２を装着している。このガイドキャップ３５は、挿入ロッド３１を挿入できるように、上面に挿通孔３５Ａを開口している。回動片３２は、全体の形状をＬ字状に折曲しており、一端を回転軸３３を介してガイドキャップ３５に連結すると共に、他端の両側には、突出ピン３６に向かって突出するピン３２Ａを設けている。この回動片３２は、挿入ロッド３１で押圧されて回動するとき、ピン３２Ａの先端を突出ピン３６の両側に設けた突出部３６Ａに当接させて、回動するピン３２Ａで突出ピン３６を押圧して強制的に後退させる。挿入ロッド３１の押圧が解除されると、突出ピン３６は回動片３２のピン３２Ａに押圧されなくなり、弾性部材３９で弾性的に押し出されて回動片３２を元の姿勢に回動させる。
【００６７】
以上の第２解除機構３８は、上段の伸縮パイプ５Ａａが下段の伸縮パイプ５Ａｂの最深部まで押し込まれると挿入ロッド３１がガイドキャップ３５の挿通孔３５Ａに挿入されて、下段の伸縮パイプ５Ａｂの下端に配設された回動片３２が回動される。回動する回動片３２は、ピン３２Ａの先端で突出ピン３６を引き抜く方向に移動させて、突出ピン３６を係止部３７から引き抜く。この状態で、第２ストッパ１５Ｂは解除されて、下段の伸縮パイプ５Ａｂが固定パイプ５Ｂの内部を上下に移動できる状態となる。このとき、上段ストッパ１５Ａａの突出ピン１６は下段の伸縮パイプ５Ａｂの最も下に設けた係止部１７に挿通されており、挿入ロッド３１がガイドキャップ３５の挿通孔３５Ａに挿入された状態に保持されている。このため、突出ピン３６は、回動片３２によって引き抜き方向に移動された状態に保持される。この状態で、上段の伸縮パイプ５Ａａと下段の伸縮パイプ５Ａｂは、収縮状態に連結されており、上段の伸縮パイプ５Ａａと下段の伸縮パイプ５Ａｂが一体的に連結された状態で固定パイプ５Ｂの内部を上下に移動する。
【００６８】
さらに、一体的に連結された上段の伸縮パイプ５Ａａと下段の伸縮パイプ５Ａｂとを固定パイプ５Ｂに最も深く挿入すると、第１ストッパ１５Ａの突出ピン１６が固定パイプ５Ｂの内側に設けた係止部３０に挿入される。この状態で、伸縮支柱５の収縮が停止され、グリップ４が最も降下された状態で停止する。この突出ピン１６と係止部３０との係止状態を解除するときは、第１解除機構１８の押しボタン２０を押して突出ピン１６を係止部３０から引き抜く。この状態で、下段の伸縮パイプ５Ａｂは、固定パイプ５Ｂの内部を上下に移動できる状態となる。
【００６９】
さらに、下段の伸縮パイプ５Ａｂの引き出しを停止するときは、第１解除機構１８の押しボタン２０を押して突出ピン１６を強制的に引き込んで第１ストッパ１５Ａを解除し、上段の伸縮パイプ５Ａａを下段の伸縮パイプ５Ａｂから引き出す。このとき、挿入ロッド３１がガイドキャップ３５の挿通孔３５Ａから引き出され、突出ピン３６が弾性部材３９で突出される状態となる。この状態で、下段の伸縮パイプ５Ａｂが引き出されて、突出ピン３６が固定パイプ５Ｂの上端部に設けた係止部３７に挿入されて、下段の伸縮パイプ５Ａｂの引き出しが停止される。
【００７０】
以上の構造のストッパ１５は、伸縮パイプ５Ａが２段に伸縮される伸縮支柱５を決められた位置に停止できる。ただし、本発明の鞄は、ストッパを以上の構造に特定しない。ストッパには伸縮支柱５を所定の位置で停止できる全ての機構とすることができる。
【符号の説明】
【００７１】
１…バッグ部            １Ｘ…側面
２…ベースフレーム      ２Ｒ…連結部
３…鞄本体              ３Ａ…本体部
３Ｂ…蓋体
３Ｃ…第１ケース
３Ｄ…第２ケース
３Ｓ…挿通帯
３Ｒ…連結片
４…グリップ
５…伸縮支柱            ５Ａ…伸縮パイプ
５Ａａ…上段の伸縮パイプ
５Ａｂ…下段の伸縮パイプ
５Ａｘ…縦部
５Ａｙ…横部
５Ｂ…固定パイプ
５Ｂｘ…縦部
５Ｂｙ…横部
６…キャスター
７…取手
８…支持筒              ８Ａ…突出部
９…補強壁
１０…補強基部
１１…連結ロッド
１２…挿入隙間
１４…挿入凹部
１５…ストッパ          １５Ａ…第１ストッパ
１５Ｂ…第２ストッパ
１６…突出ピン          １６Ａ…突出部
１７…係止部
１８…第１解除機構
１９…弾性部材
２０…押しボタン
２１…駆動ロッド        ２１Ａ…水平ロッド
２１Ｂ…垂直ロッド
２２…回動片            ２２Ａ…ピン
２３…弾性体
２４…挿入キャップ
２５…ガイドキャップ
２６…連結筒部          ２６Ａ…挿通孔
２７…回転軸
３０…係止部
３１…挿入ロッド
３２…回動片            ３２Ａ…ピン
３３…回転軸
３５…ガイドキャップ    ３５Ａ…挿通孔
３６…突出ピン          ３６Ａ…突出部
３７…係止部
３８…第２解除機構
３９…弾性部材
８１…バッグ部          ８１Ｘ…側面
８４…グリップ
８５…伸縮支柱
８６…キャスター
８７…取手
９６…キャスター
９７…取手
９８…脚
【図１】
0005832226.tif 000002
【図２】
0005832226.tif 000003
【図３】
0005832226.tif 000004
【図４】
0005832226.tif 000005
【図５】
0005832226.tif 000006
【図６】
0005832226.tif 000007
【図７】
0005832226.tif 000008
【図８】
0005832226.tif 000009
【図９】
0005832226.tif 000010
【図１０】
0005832226.tif 000011
【図１１】
0005832226.tif 000012
【図１２】
0005832226.tif 000013
【図１３】
0005832226.tif 000014
【図１４】
0005832226.tif 000015
【図１５】
0005832226.tif 000016
【図１６】
0005832226.tif 000017
【図１７】
0005832226.tif 000018
【図１８】
0005832226.tif 000019